(57)【要約】【課題】簡単な補強部材の取り付けによって石詰めによる変形を効果的に防止した角形石詰篭を提供する。【解決手段】角形の篭本体２に、石詰めによる該篭本体２の変形を防止するため、該篭本体２の底面網６に沿って延在することにより該底面網６を支持する水平支持部３ａと、該水平支持部３ａの両端からそれぞれ斜め上向きに立ち上がって上端部が側面網７，７に連結された傾斜支持部３ｂとからなる補強部材３を取り付け、上記水平支持部３ａを、底面網６の網幅Ｗより短い長さに形成することによって該底面網６の中間部分を線状に支持させる。【選択図】図１
2008303690.tif 000002
【特許請求の範囲】
【請求項１】
底面網と前後及び左右の側面網と上面網とのうち少なくとも底面網と前後及び左右の側面網とを有する角形の篭本体と、該篭本体に取り付けられて石詰めによる該篭本体の変形を防止する補強部材とからなり、
上記補強部材は、線材により形成されていて、上記底面網の前後方向又は左右方向に延在して該底面網を支持する水平支持部と、該水平支持部の両端からそれぞれ斜め上向きに立ち上がり、上端部が前後又は左右の側面網に連結された傾斜支持部とを有し、
上記水平支持部が、上記底面網の前後又は左右方向の網幅より短い長さに形成されると共に、両端部が該底面網の側端部より内側の位置を占めるようにこの底面網に沿って配設されることにより、該底面網の中間部分を線状に支持している、
ことを特徴とする角形石詰篭。
【請求項２】
複数の補強部材が篭本体に取り付けられていることを特徴とする請求項１に記載の角形石詰篭。
【請求項３】
上記複数の補強部材が、水平支持部において該水平支持部と交叉する連結線で相互に連結されていることを特徴とする請求項２に記載の角形石詰篭。
【請求項４】
上記補強部材が、篭本体の前後及び左右の両方向に延在させて取り付けられていることを特徴とする請求項１から３の何れかに記載の角形石詰篭。
【発明の詳細な説明】
【技術分野】
【０００１】
本発明は、内部に石詰めした状態で使用される角形石詰篭に関するものであり、更に詳しくは、石詰めによる変形を防止した角形石詰篭に関するものである。
【背景技術】
【０００２】
護岸工事や道路工事等の各種工事に使用される角形石詰篭は、菱形金網や溶接金網等によって六面体状に形成され、内部に栗石を詰めた状態で現場に設置される。この場合、空の石詰篭を工事現場に運搬して所定の場所に配置したあと、別途に搬入した栗石を充填するのが一般的であったが、その作業の主体は人力であるため、工事が完成するまでに多くの手数と時間とが必要であり、効率的とはいえなかった。
【０００３】
そこで、このような問題を解決するため近年では、例えば特許文献１及び特許文献２に記載されているように、栗石が保管されている場所で空の石詰篭に重機で栗石を機械的に詰めることにより、必要量の栗石が充填された栗石充填篭を予め形成し、この栗石充填篭をトラックで施工現場へ搬送して設置する方法が用いられている。
上記栗石充填篭をトラックに積んだり現場でトラックから降ろしたりする作業は、クレーンなどの重機を使用してこの栗石充填篭を吊り上げることによって行うが、それを吊り上げたとき、充填した栗石の重量や押圧力等によって石詰篭の底面網や側面網が変形し易く、その後の設置に支承を来たすことが多い。
【０００４】
一方、特許文献３には、法面保護工に使用されるふとん篭として、補強用の張線で側面網の変形を防止するようにしたものが開示されている。このふとん篭は、図８に実線で示すように、相対する前後一対の側面網３０ａ及び３０ｂのうち、法面側に露出する前方の側面網３０ａと底面網３０ｃの中央部との間に補強用の張線３１を連結することにより、該側面網３０ａの膨出による変形を防止するものであって、この補強技術を上記栗石充填篭に適用することができれば、該栗石充填篭を吊り上げた際の底面網や側面網の変形を防止する効果がある程度期待できるものと考えられる。
【特許文献１】特許第３０４７２６３号公報
【特許文献２】特開２００２−９７６１６号公報
【特許文献３】実公平７−２８１８１号公報
【発明の開示】
【発明が解決しようとする課題】
【０００５】
しかし、上記従来の補強方法は、空の状態で法面に設置したあと栗石を充填するタイプのふとん篭において、法面に露出する側面網が栗石で押されて変形するのを防止するのが目的であって、栗石充填後にふとん篭を吊り上げることを考慮したものではないため、この補強技術をそのまま上述した栗石充填篭に適用しても、栗石の重量がそのまま作用する底面網に対する十分な補強効果を期待することはできない。それは、上記張線３１が底面網３０ｃの中央部に連結されることによって該底面網３０ｃを点で支持しているため、上記張線３１による支持力が該底面網３０ｃの中央の一点だけに集中的に作用することになり、その回りの殆どの部分は支持されないことから底面網が変形し易いためである。しかも、上記張線３１が連結された一部の列線だけに局部的に大きな引張力が作用するため、その列線が部分的に変形するといった不都合も生じ易い。このような問題は、石詰篭が大形化してその篭幅が大きくなるほど顕著になる。
【０００６】
また、上記張線３１が側面網３０ａから底面網３０ｃの中央部まで長く延出しており、特に、図８に鎖線で示すように、反対側の側面３０ｂからも底面網３０ｃの中央に向けて張線３１を張設した場合には、石詰篭の全幅にわたって該張線３１が延出することになるため、これらの張線が栗石充填の邪魔になり、該栗石を隙間のないように密に充填するのが困難になることもある。また、重機で勢い良く充填される栗石がこれらの張線３１に衝突する確率も非常に高くなるため、該張線が切れたり変形するなどの不都合を生じ易く、そのとき張線が受ける衝撃力が側面網や底面網にも伝わってそれらを変形させるなどの悪影響を及ぼすこともある。
【０００７】
そこで本発明の目的は、補強部材が石詰め時の障害になりにくく、しかも、石詰めした状態で吊り上げた場合の底面網及び側面網の変形を効果的に防止することができる、構成が簡単で補強効果に勝れた角形石詰篭を提供することにある。
【課題を解決するための手段】
【０００８】
上記目的を達成するため、本発明の角形石詰篭は、底面網と前後及び左右の側面網と上面網とのうち少なくとも底面網と前後及び左右の側面網とを有する角形の篭本体と、該篭本体に取り付けられて石詰めによる該篭本体の変形を防止する補強部材とからなり、上記補強部材は、線材により形成され、上記底面網の前後方向又は左右方向に延在して該底面網を支持する水平支持部と、該水平支持部の両端からそれぞれ斜め上向きに立ち上がって上端部が前後又は左右の側面網に連結された傾斜支持部とを有し、上記水平支持部が、上記底面網の前後又は左右方向の網幅より短い長さに形成されていて、両端部が該底面網の側端部より内側の位置を占めるようにこの底面網に沿って配設されることにより、該底面網の中間部分を線状に支持していることを特徴とするものである。
【０００９】
本発明においては、複数の補強部材が篭本体に取り付けられていても良く、これらの補強部材は、水平支持部において該水平支持部と交叉する連結線で相互に連結されていても良い。
さらには、上記補強部材が、篭本体の前後及び左右の両方向に取り付けられていても構わない。
【発明の効果】
【００１０】
本発明によれば、水平支持部とその両端の傾斜支持部とからなる補強部材を篭本体に取り付け、上記水平支持部によって底面網の中間部分を線状に支持させているため、従来のように点で支持する方式に比べ、支持範囲が拡大して支持効果に勝れる。しかも、上記傾斜支持部が底面網の中央に向けて延出する長さが短いため、この傾斜支持部が栗石充填の邪魔になるおそれが少なく、また、充填時に栗石が衝突する確率も低くなるため、該張線が切れたり変形するなどの不都合が生じにくい。
【発明を実施するための最良の形態】
【００１１】
図１は本発明に係る角形石詰篭の第１実施形態を示すものである。この石詰篭１Ａは、四角い箱形をした金網製の篭本体２に、針金等の線材からなる変形防止用の補強部材３を取り付けたもので、図５に示すように、内部に骨材としての栗石４を充填することにより栗石充填篭２０とされ、この栗石充填篭２０の状態で建設資材として取り扱われるものである。
【００１２】
上記篭本体２は、底面網６と、相対する前後一対の側面網７，７と、他の相対する左右一対の側面網８，８と、上面網９とで構成されている。これらの面網６，７，８，９は、それぞれ菱形金網により形成されており、この菱形金網は、扁平螺旋形状に折曲した複数の列線１０を折曲部１０ａにおいて順次連係したものである。
また、上記前後の側面網７，７は、左右の側面網８，８より横方向の網長が長く形成されており、これによって篭本体２が、左右方向に細長く形成されている。しかし、篭本体２の前後方向と左右方向の長さは互いに同じであっても良く、あるいは、左右方向の長さより前後方向の長さが大きくても構わない。
【００１３】
上記各面網６，７，８，９は、図１に示すようにそれぞれを個別に形成して相互に連結しても良いが、複数の面網を一つの菱形金網によって一体に形成することもできる。例えば、底面網６と前後の側面網７，７とにおける列線の配線方向を、図１のように、篭本体２の左右方向に揃えた場合には、これらの底面網６と前後の側面網７，７を一連の菱形金網により形成することができる。さらに、必要であれば上面網９も一連に形成することができる。
また、個別に形成した面網同士を連結する場合には、各面網６，７，８，９の外周を取り囲む針金製の外周枠１１の互いに対応する枠辺同士を、スクリューストッパーのような連結金具で結合することにより行うことができる。
なお、図中１２は、篭本体２の中間部を補強する補強枠線であって、上記底面網６と前後の側面網７，７及び上面網９とにそれぞれ、それらの中央部を横断するように取り付けられている。しかし、このような補強枠線１２は必ずしも必要なものではない。
【００１４】
上記補強部材３は、図２に示すように、針金等の線材により、等脚台形における相対する平行な長短一対の対辺のうちの長辺を取り除いたような形に形成されていて、上記底面網６の中間部分を線で支持する水平支持部３ａと、該水平支持部３ａの両端からそれぞれ斜め上向きに立ち上がり、上端部３ｃが前後の側面網７，７に連結された２つの傾斜支持部３ｂ，３ｂとからなっている。これらの水平支持部３ａと傾斜支持部３ｂ，３ｂとは、１本の線材によって一体に形成することもできるが、個別に形成して相互に連結しても良い。個別に形成する場合は、例えば水平支持部３ａの線径を傾斜支持部３ｂ，３ｂの線径より大きくするなど、それらの線径や強度等を相互に違えることも可能である。また、上記水平支持部３ａと傾斜支持部３ｂ，３ｂとを１本の線材で一体に形成する場合でも、個別に形成して相互に連結する場合でも、それらの間の角度を自由に変えられるように、２つの傾斜支持部３ｂ，３ｂは水平支持部３ａに対して屈伸自在あるいは回動自在であることが望ましい。
【００１５】
上記水平支持部３ａは、底面網６の前後方向の網幅Ｗより短く形成されていて、該底面網６の前後方向の中間位置に、複数の列線又は網目を跨いだ状態で、両端部が該底面網６の外周枠１１が取り付けられた両側端部よりも内側の位置を占めるように延在し、該底面網６に係止することによって該底面網６の中間部を線で支持している。上記水平支持部３ａを底面網６に係止させる方法としては、図３に示すように、該水平支持部３ａを底面網６の下面に外側から当接させる方法と、図４に示すように、菱形金網の列線１０の螺旋空間内に挿通させる方法とがあるが、何れの方法であっても良い。
【００１６】
上記図３の方法を用いて補強部材３を篭本体２に取り付ける場合は、同図に鎖線で示すように該補強部材３を篭本体２の下方に配置し、傾斜支持部３ｂ，３ｂを網目から篭本体２内に挿入させて該補強部材３を持ち上げることにより、上記水平支持部３ａを底面網６の下面に当接させ、各傾斜支持部３ｂ，３ｂの上端部３ｃ，３ｃを前後の側面網７，７の中間部に連結する。その連結は、通常は各傾斜支持部３ｂ，３ｂの上端部を側面網７，７の列線１０に直接巻き付けて係止させることにより行われる。しかし、上記傾斜支持部３ｂ，３ｂの上端部３ｃに環を形成しておき、この環に共通の係止線を側面網７，７に沿って水平に挿通し、この係止線を該側面網７，７に適宜方法で固定することにより行うことも可能である。
【００１７】
また、上記図４の方法を用いて補強部材３を篭本体２に取り付ける場合は、水平支持部３ａと傾斜支持部３ｂ，３ｂとが個別に形成された補強部材３が使用される。そして、先ず、その水平支持部３ａを底面網６における列線１０の螺旋空間内に挿通させたあと、この水平支持部３ａの両端にそれぞれ上記傾斜支持部３ｂ，３ｂを連結し、これらの傾斜支持部３ｂ，３ｂを前後の側面網７，７に上述した方法で連結することによりその取り付けが行われる。
【００１８】
上記補強部材３を篭本体２に図３に示す方法で取り付ける場合でも図４に示す方法で取り付ける場合でも、上記傾斜支持部３ｂ，３ｂの基端部、即ち水平支持部３ａとの連結端部は、底面網６の何れの列線１０にも固定的に連結したり係止させたりする必要はない。しかし、水平支持部３ａについては、補強部材３を図３に示す方法で取り付けた場合に、該水平支持部３ａが底面網６から離れて下方に変位することがないように、底面網６の列線１０に針金等で結び着けておいても構わない。
図１の実施形態においては、複数の補強部材３が篭本体２に取り付けられているが、篭本体２が小形である場合には補強部材３を一つだけ取り付けても良い。
【００１９】
かくして補強部材３が取り付けられた石詰篭１Ａは、図５に示すように、内部に栗石４を充填したあと、必要に応じて上面網９を取り付けることにより、栗石充填篭２０として使用される。上記栗石４の充填は、ショベルカーやパワーショベル等の重機によって機械的に行われるが、その際、篭本体２に上記補強部材３が取り付けられていて、その傾斜支持部３ｂ，３ｂが該篭本体２の内側に向けて延出していたとしても、従来品のように底面網６の中央までは延びていないため、この傾斜支持部３ｂ，３ｂが栗石充填の邪魔になる度合いは小さい。また、この傾斜支持部３ｂ，３ｂに栗石４が衝突する割合も従来品に比べて非常に低いため、この傾斜支持部３ｂ，３ｂが栗石４の衝突によって切れたり変形するなどの不都合も生じにくい。
【００２０】
上記栗石充填篭２０は、護岸工事や道路工事等の各種工事における現場に搬送されて設置される。その搬送工程においてこの栗石充填篭２０は、その上面の四隅や前後又は左右の側面網７，７又は８，８の列線１０などに吊下用のバーやフック等が掛けられ、クレーンやパワーショベル等の重機によりワイヤロープを介して吊り上げられるが、その際、栗石４の重量が篭本体２に作用しても、補強部材３による効果的な支持によって該篭本体２の変形は生じにくい。
【００２１】
即ち、底面網６の中間部が、該底面網６の中央から両側面方向に延在する線状の水平支持部３ａによって支持されているため、従来品のように底面網６の中央部だけが１点で集中的に支持されるものに比べ、支持範囲が広くなり、該底面網６が下方に向けて膨出した状態に変形しにくい。しかも、図５に示すように、上記水平支持部３ａに詰め石による負荷が下向きに作用すると、両傾斜支持部３ｂ，３ｂに張力Ｆｂが作用するが、それらの分力Ｆａによって水平支持部３ａが互いに逆方向に強く引っ張られるため、該水平支持部３ａの支持力が高まって下方への変形が防止され、底面網６の変形が効果的に防止されることになる。
【００２２】
図６には、複数の補強部材３を一つに結合することによって補強部材結合体３０としたものが示されている。この補強部材結合体３０は、上記複数の補強部材３を、水平支持部３ａにおいて該水平支持部３ａと交叉する複数の連結線１３によって相互に連結したものである。上記連結線１３は、上記水平支持部３ａの中央位置と、該水平支持部３ａと傾斜支持部３ｂ，３ｂとの境界部分にそれぞれ配設されている。
【００２３】
上記補強部材結合体３０は、図３に示す方法で篭本体２に取り付けることができる。その場合、各補強部材３の傾斜支持部３ｂ，３ｂの上端部３ｃの前後の側面網７，７に対する連結は、該側面網７，７の列線１０に直接係止させる方法を用いても良いが、各補強部材３における傾斜支持部３ｂ，３ｂの上端部３ｃに環を形成しておき、これらの環に共通の係止線を水平に挿通し、この係止線を側面網７，７に固定する方法を用いることが望ましい。
【００２４】
上記第１実施形態においては、上記補強部材３が篭本体２の前後方向に延在させて取り付けられているが、左右方向に延在させて取り付けても、前後及び左右の両方向に延在させて取り付けても良い。図７に示す第２実施形態の石詰篭１Ｂにおいては、篭本体２の前後方向に延在する２つの補強部材３Ａ，３Ａと、左右方向に延在する１つの補強部材３Ｂとが設けられている。このうち、前後方向の補強部材３Ａ，３Ａは、図１の第１実施形態における補強部材３，３と同じであり、また、左右方向の補強部材３Ｂは、その水平支持部３ａが、前後方向の２つの補強部材３Ａ，３Ａを跨ぐように延在し、該水平支持部３ａの両端の傾斜支持部３ｂ，３ｂが左右の側面網８，８に連結されている。
【００２５】
なお、上記第２実施形態における前後方向の補強部材３Ａ，３Ａと左右方向の補強部材３Ｂとは、それぞれを個別に形成して篭本体２に個別に取り付けても良いが、図６に示すものと同様に、相互に連結することによって補強部材結合体とすることもできる。この場合、左右方向の補強部材３Ｂの水平支持部３ａは、前後方向の補強部材３Ａ，３Ａの水平支持部３ａ，３ａの中央部を横断するように位置し、これらの補強部材３Ａ，３Ａを連結する連結線の役目を果たすことになる。
【００２６】
また、上記各実施形態においては、補強部材３，３Ａ，３Ｂの傾斜支持部３ｂ，３ｂが側面網７，８の高さ方向のほぼ中央部に連結されているが、該傾斜支持部３ｂ，３ｂを連結する位置は、側面網７，８の下端部よりも支持力を得られる程度に高い位置であれば、その中央部より低い位置であっても高い位置であっても良く、側面網の上端部であっても構わない。
さらに、上記各実施形態においては、篭本体２の各面網６，７，８，９が菱形金網で形成されているが、それらを溶接金網で形成することもできる。あるいは、底面網６と上面網９とを溶接金網で形成し、その他の側面網７，８を菱形金網で形成したり、その逆に、底面網６と上面網９とを菱形金網で形成し、その他の側面網７，８を溶接金網で形するといった具合に、２種類の金網を併用して石詰篭を形成することも可能である。
【図面の簡単な説明】
【００２７】
【図１】本発明に係る石詰篭の第１実施形態を示す分解斜視図である。
【図２】補強部材の正面図である。
【図３】石詰篭に対する補強部材の取り付けかたの一例を示す断面図である。
【図４】石詰篭に対する補強部材の取り付けかたの他例を示す要部平面図である。
【図５】石詰篭に栗石を充填して形成した栗石充填篭の断面面である。
【図６】複数の補強部材を連結して形成した補強部材結合体の斜視図である。
【図７】本発明に係る石詰篭の第２実施形態を上面網を省略して示す斜視図である。
【図８】従来の石詰篭の側断面図である。
【符号の説明】
【００２８】
１Ａ，１Ｂ      石詰篭
２      篭本体
３，３Ａ，３Ｂ      補強部材
３ａ      水平連結部
３ｂ      傾斜連結部
６      底面網
７      前後の側面網
８      左右の側面網
９      上面網
１３      連結線
Ｗ      網幅
【図１】
2008303690.tif 000003
【図２】
2008303690.tif 000004
【図３】
2008303690.tif 000005
【図４】
2008303690.tif 000006
【図５】
2008303690.tif 000007
【図６】
2008303690.tif 000008
【図７】
2008303690.tif 000009
【図８】
2008303690.tif 000010